(57)【要約】【課題】起立可能であり、且つ、カードホルダに保持したままのカードにユーザーが文字等を容易に記入できるカードホルダを提供すること。【解決手段】略一枚板状の展開体が折り返しされてなるカードホルダ１を、開口３０を持つ背板部３と、背板部３における開口３０の周縁部３３と一体に形成されている第１脚部４と、背板部３と一体に形成されている第２脚部５と、第２脚部５と一体に形成されている脚支持部６と、で構成する。このうち第１脚部４を背板部３に対して揺動可能にし、第１脚部４に開口状の係合凹部４２を設ける。第２脚部５は背板部３に対して曲げ伸ばし可能に折り返す。脚支持部６は第２脚部５に対して折り返すとともに、脚支持部６に係合凸部６２を設ける。第２脚部５を背板部３に対して面一に伸ばし、脚支持部６を折り返したままの状態で、脚支持部６の係止部６４が、係合凹部４２の端面４９よりも第１脚端部４０側に配置されるようにする。【選択図】図４
2013031950.tif 000002
【特許請求の範囲】
【請求項１】
略一枚板状の展開体が折り返されてなり起立可能なカードホルダであって、
開口と、起立時に上端となる第１端部と、該起立時に下端となる第２端部と、を持つ背板部と、
開口状の係合凹部を持ち、一端部である第１脚基部が該背板部における該開口の該第１端部側の周縁部と一体に形成され、他端部である第１脚端部が該周縁部から該開口の内部に突出し、該背板部に対して揺動可能である第１脚部と、
該第２端部と一体に形成され、該第２端部との境界部分を中心に曲げ伸ばし可能に折り返されている第２脚部と、
該第２脚部における該第２端部とは逆側の端部と一体に形成され、該第２脚部との境界部分を中心に折り返されている脚支持部と、を持ち、
該脚支持部は、該第２脚部に連続する基部と、該基部に連続し該起立時に該係合凹部に挿入される係合凸部と、該起立時に該係合凹部の周縁部と係止する係止部と、を持ち、
該第２脚部を該背板部に対して面一に伸ばし、該脚支持部を折り返したままの状態で、該係止部は該係合凹部の該第１脚基部側の端面よりも該第１脚端部側に配置されていることを特徴とするカードホルダ。
【請求項２】
前記第１脚部は、前記係合凹部の周縁部に突起状の抜け止め凸部を持ち、
前記係合凸部は、開口状の抜け止め凹部を持ち、
前記起立時に該抜け止め凸部と該抜け止め凹部とは係合する請求項１に記載のカードホルダ。
【請求項３】
前記背板部の前記第１端部と一体に形成され、前記第１端部との境界部分を中心に折り返されて前記背板部の前側に配置されているカード支持部を持つ請求項１または請求項２に記載のカードホルダ。
【請求項４】
略一枚板状に展開可能である請求項１〜請求項３の何れか一つに記載のカードホルダ。
【請求項５】
前記第２脚部および前記脚支持部を巻き折り状に折り返し、
前記脚支持部に意匠を表示する請求項１〜請求項４の何れか一つに記載のカードホルダ。
【請求項６】
前記第２脚部および前記脚支持部を蛇腹折り状に折り返し、
前記第２脚部に意匠を表示する請求項１〜請求項４の何れか一つに記載のカードホルダ。
【発明の詳細な説明】
【技術分野】
【０００１】
本発明はカード類を保持するカードホルダに関する。
【背景技術】
【０００２】
カレンダー、メモ用紙、付箋等に代表される種々のカード類を保持するカードホルダとして、机等にカードホルダを起立させるための脚部を持つものが知られている（例えば、特許文献１、２参照）。カード類には、予定やメッセージ等の文字や絵を描き込む場合がある。しかしカードホルダを起立させたままでは、カードホルダに保持されているカード類に文字等を書き込むのは困難である。一方、この種のカードホルダを机等に仰臥させると、カードホルダを起立させるための脚部が机等に干渉し、カードホルダが安定しない。このためカードホルダを仰臥させても、カードホルダに保持されているカードに文字等を書き込むのは困難である。このためユーザーは、文字等を書き込む際にカードを一旦カードホルダから取り外し、記入後にカードをカードホルダに再度保持させる必要があった。特に、カード類がカレンダーやメモ用紙、付箋等の文字等を記入するためのものであれば、この種のカードホルダはユーザーに煩雑な作業を強いる問題があった。
【先行技術文献】
【特許文献】
【０００３】
【特許文献１】特開２００６−２０５３７０号公報
【特許文献２】特開２０００−１２７６５０号公報
【発明の概要】
【発明が解決しようとする課題】
【０００４】
本発明は上記事情に鑑みてなされたものであり、起立可能であり、且つ、カードホルダに保持したままのカードにユーザーが文字等を容易に記入できるカードホルダを提供することを目的とする。
【課題を解決するための手段】
【０００５】
上記課題を解決する本発明のカードホルダは、略一枚板状の展開体が折り返されてなり起立可能なカードホルダであって、開口と、起立時に上端となる第１端部と、該起立時に下端となる第２端部と、を持つ背板部と、開口状の係合凹部を持ち、一端部である第１脚基部が該背板部における該開口の該第１端部側の周縁部と一体に形成され、他端部である第１脚端部が該周縁部から該開口の内部に突出し、該背板部に対して揺動可能である第１脚部と、該第２端部と一体に形成され、該第２端部との境界部分を中心に曲げ伸ばし可能に折り返されている第２脚部と、該第２脚部における該第２端部とは逆側の端部と一体に形成され、該第２脚部との境界部分を中心に折り返されている脚支持部と、を持ち、該脚支持部は、該第２脚部に連続する基部と、該基部に連続し該起立時に該係合凹部に挿入される係合凸部と、該起立時に該係合凹部の周縁部と係止する係止部と、を持ち、該第２脚部を該背板部に対して面一に伸ばし、該脚支持部を折り返したままの状態で、該係止部は該係合凹部の該第１脚基部側の端面よりも該第１脚端部側に配置されていることを特徴とする。
【０００６】
本発明のカードホルダは、下記の（１）〜（５）の何れかを備えるのが好ましく、（１）〜（５）の複数を備えるのがより好ましい。
（１）前記第１脚部は、前記係合凹部の周縁部に突起状の抜け止め凸部を持ち、前記係合凸部は、開口状の抜け止め凹部を持ち、前記起立時に該抜け止め凸部と該抜け止め凹部とは係合する。
（２）前記背板部の前記第１端部と一体に形成され、前記第１端部との境界部分を中心に折り返されて前記背板部の前側に配置されているカード支持部を持つ。
（３）略一枚板状に展開可能である。
（４）前記第２脚部および前記脚支持部を巻き折り状に折り返し、前記脚支持部に意匠を表示する。
（５）前記第２脚部および前記脚支持部を蛇腹折り状に折り返し、前記第２脚部に意匠を表示する。
【発明の効果】
【０００７】
本発明のカードホルダは第１脚部、第２脚部および脚支持部によって支持されることで起立可能である。また、本発明のカードホルダにおける第１脚部、第２脚部および脚支持部は、カードホルダを仰臥させると揺動するため、机等に干渉し難い。よって本発明のカードホルダは、起立可能であり、且つ、カードホルダに保持したままのカードにユーザーが文字等を容易に記入できる。
【図面の簡単な説明】
【０００８】
【図１】実施例１のカードホルダを模式的に表す展開図である。
【図２】実施例１のカードホルダを前側（正面側）から見た様子を模式的に表す斜視図である。
【図３】実施例１のカードホルダを後側（背面側）から見た様子を模式的に表す斜視図である。
【図４】仰臥時における実施例１のカードホルダを模式的に表す正面図である。
【図５】実施例２のカードホルダを模式的に表す展開図である。
【図６】仰臥時における実施例２のカードホルダを模式的に表す正面図である。
【発明を実施するための形態】
【０００９】
本発明のカードホルダは、上述したように、カレンダー、メモ用紙、付箋等に代表される種々のカード類を保持するカードホルダとして使用できる。カード類の厚さ、材質、形状等は特に限定されず、カードホルダはカード類に応じた種々の形状をとり得る。
【００１０】
本発明のカードホルダの材料としては、紙、樹脂、金属等の種々の材料を用いることができる。
【００１１】
本発明のカードホルダは、展開体の状態（すなわち、折り返されていない状態）で一枚板状であり、折り返されて形成されている。このため、本発明のカードホルダは、多数の部品を必要とせず、容易かつ安価に製造できる。本発明のカードホルダは、展開体の状態において一枚板状であれば良く、折り返した状態で固着しても良いし、折り返した状態から、再度、展開体にまで展開できても良い。折り返した状態から、再度、展開体にまで展開できる場合には、カードホルダの製造時に接着等の固着工程を必要とせず、カードホルダをより容易かつ安価に製造できる利点がある。なお、本明細書でいう板状とは、折り返し可能な程度の厚さをもつ形状を指し、例えば、シート状やフィルム状、紙状等を含む概念である。また、展開体の肉厚は、略一定であっても良いし、部分的に厚肉および／または薄肉であっても良い。また、本明細書でいう一枚板状とは、切断等しないそのままの状態で分離しない一枚の板状をなすことを指し、その外形は特に問わない。例えば、展開体には切り目や切り欠き等が形成されていても良い。
【００１２】
本発明のカードホルダは、背板部、第１脚部、第２脚部、脚支持部を持つ。背板部は直接的または間接的にカードを保持する部分である。第１脚部および第２脚部は起立状態においてカードホルダの脚となり、背板部を支持する部分である。背板部は、起立時において上側に配置される部分（第１端部）と下側に配置される部分（第２端部）とを持つ。第１脚部および第２脚部は、背板部に一体に形成されている。
【００１３】
具体的には、第１脚部は背板部における開口の周縁部のなかで第１端部側の部分と一体に形成され、背板部に対して揺動可能である。言い換えると、背板部には開口が形成され、開口の内部には第１脚部が配置されている。第１脚部の一端は背板部における開口の周縁部のなかで第１端部側の部分と一体化されている。第１脚部の他端部は自由端部である。第１脚部は背板部に対して揺動可能である。展開体の状態、すなわち、第１脚部と背板部とが略面一となったときに、背板部における開口の周縁部と第１脚部との間には、スリット状または溝状の間隙が存在する。ここでいう揺動可能とは、第１脚部のなかで少なくとも背板部との境界部分が、曲げ伸ばし可能または弾性変形可能であることを指す。第１脚部は、背板部に対して折り返されていても良いし、折り返されていなくても良い。第１脚部には、後述する脚支持部の係合凸部が挿入される係合凹部が形成されている。
【００１４】
第２脚部は、背板部の第２端部と一体に形成され、第２端部との境界部分を中心に曲げ伸ばし可能に折り返されている。起立時においては、第２脚部は背板部に対して折り返され、第１脚部とともに背板部を支持する。後述する仰臥時においては、第２脚部は背板部と略面一に伸ばされる。
【００１５】
脚支持部は、起立時において、第１脚部および第２脚部を支持固定し、第１脚部および第２脚部を位置決めする部分である。脚支持部は第２脚部（具体的には、第２脚部のなかで第２端部と逆側の端部）と一体に形成され、第２脚部との境界部分を中心に折り返されている。つまり、本発明のカードホルダにおいて、脚支持部は曲げ伸ばし可能でなくても良く、例えば第２脚部に固着されていても良い。脚支持部の一部である係合凸部は、起立時に、第１脚部の係合凹部に挿入される。このとき、脚支持部の他の一部である係止部は、第１脚部における係合凹部の周縁部と係止する。このため、起立時において、第１脚部は、背板部に対して揺動した状態（略面一でない状態）で固定され、カードホルダの脚として機能する。
【００１６】
また、係合凹部に係合凸部を挿入した状態で、第２脚部を背板部に対して所定角以上に折り返そうとすると、係合凹部に挿入された係合凸部が係合凹部の周縁部と係止する。このため、第２脚部は所定角に折り返された状態で固定される。したがって、起立時においては、脚支持部が第１脚部を揺動した状態（背板部と非面一の状態）で保持するとともに第２脚部を所定角に折り返された状態（背板部と非面一の状態）で保持する。そして、背板部と非面一の状態にある第１脚部と、背板部と非面一の状態にある第２脚部とによって、背板部を支持する。
【００１７】
ところで、上述したように第２脚部は、第２端部との境界部分を中心に背板部に対して曲げ伸ばし可能に折り返されている。このため、第２脚部は背板部に対して面一に伸ばすことが可能である。第２脚部を背板部に対して略面一に伸ばすと、第２脚部に一体化されている係合凸部が、第１脚部の係合凹部内をスライドし、係合凹部の周縁部のなかで第１端部側の部分に移動する。本発明のカードホルダにおける第２脚部を背板部に対して面一に伸ばし、脚支持部を折り返したままの状態にすると、係止部は係合凹部の第１脚基部側の端面よりも第１脚端部側に配置されている。つまり、このとき係止部は係合凹部の周縁部に干渉しない。このため、第１脚部および脚支持部は、背板部と略平行に配置される。上述したようにこのとき第２脚部は背板部に対して面一であるため、第１脚部、第２脚部および脚支持部は、何れも背板部の背面側に大きく出っ張らない。したがって、このとき、第１脚部、第２脚部および脚支持部の机等への干渉を回避しつつ、カードホルダを机等に仰臥させることができる。よってこのときユーザーは、カードホルダを机等に仰臥させつつ、カードホルダに保持したままのカードに文字等を記入できる。
【００１８】
本発明のカードホルダにおいて、少なくとも背板部と第２脚部との境界部分には、曲げ伸ばし可能な程度の強度が要求される。また、背板部と第１脚部との境界部分は、第１脚部の揺動を許容できる程度の強度が要求される。さらに、背板部には起立時においてカードを保持できる程度の強度が要求され、第１脚部、第２脚部および脚支持部には起立時において背板部を保持できる程度の強度が要求される。これらを考慮すると、本発明のカードホルダの材料としては、比較的強度に優れ、かつ、疲労破壊し難い材料を選択するのが好ましい。具体的には、紙、樹脂等である。
【実施例】
【００１９】
以下、本発明のカードホルダを具体的に説明する。
【００２０】
（実施例１）
実施例１のカードホルダを模式的に表す展開図を図１に示す。実施例１のカードホルダを前側（正面側）から見た様子を模式的に表す斜視図を図２に示す。実施例１のカードホルダを後側（背面側）から見た様子を模式的に表す斜視図を図３に示す。仰臥時における実施例１のカードホルダを模式的に表す正面図を図４に示す。以下、本明細書において、前とは図４の紙面手前側を指し、後とは図４の紙面奥側を指す。延び方向、幅方向とは、それぞれ図１に示す展開図における延び方向、幅方向を指す。
【００２１】
実施例１のカードホルダ１は、厚さ０．４ｍｍのボール紙製であり、図１に示す一枚板状の展開体２が折り返されてなる。展開体２における各部分の厚さは略均一である。実施例１のカードホルダ１は、背板部３と、第１脚部４と、第１接続部７０と、枠部７１と、第２接続部７２と、カード支持部７３と、第２脚部５と、脚支持部６と、一対の第１整形部７４と、一対の第２整形部７５とを持つ。
【００２２】
背板部３は、略中央部に略矩形の開口３０を持つ略矩形の板状をなす。背板部３の延び方向における一端部である第１端部３１は、後述する起立時において上側に配置される。背板部３の延び方向における他端部である第２端部３２は、起立時において下側に配置される。開口３０は第２端部３２側に形成され、背板部３は、全体として、第２端部３２側に開口する略コ字状をなす。背板部３における開口３０の周縁部のなかで第１端部３１側の部分を第１周縁部３３と呼ぶ。開口３０の幅方向の両脇には、それぞれ、スリット状をなす整形固定部３４が一つずつ設けられている。各整形固定部３４は、第１端部３１と第２端部３２とをむすぶ方向（延び方向、起立時における上下方向）に延びる。
【００２３】
第１脚部４は、略短冊状をなす。図１に示す展開体２の状態において、第１脚部４は開口３０の内部に配置されている。第１脚部４の一端（第１脚基部４０）は、背板部３における第１周縁部３３に一体化されている。第１脚部４の他端（第１脚端部４１）は、第２端部３２側に配置されている。なお、第１脚端部４１は自由端である。
【００２４】
第１脚部４は、略矩形の開口状をなす係合凹部４２を持つ。係合凹部４２は第１脚部４のなかで第１脚端部４１寄りの位置に配置されている。係合凹部４２の周縁部（具体的には係合凸部４２における第１脚端部４１側の端面）には、突起状の抜け止め凸部４３が形成されている。抜け止め凸部４３は、係合凹部４２の内部に向けて突起している。より具体的には、係合凹部４２は第１脚基部４０に向けて突起している
第１接続部７０は、略矩形の板状をなす。第１接続部７０の一端部は背板部３の第１端部３１に一体に形成されている。第１接続部７０の延び方向の長さは、第２接続部７２の幅方向の長さよりも遙かに短い。第１接続部７０は、後述する第２接続部７２とともに、実施例１のカードホルダ１の側壁（カードホルダ１の厚さ方向の壁）を構成する。
【００２５】
枠部７１は、略矩形の枠状をなす。枠部７１の一端部は、第１接続部７０に一体に形成されている。枠部７１の他端部は、第１接続部７０と略同形の板状をなす第２接続部７２に一体に形成されている。第２接続部７２の一端部は、枠部７１と一体に形成されている。第２接続部７２の他端部は、略矩形の板状をなすカード支持部７３と一体に形成されている。カード支持部７３の幅方向の２端部には、それぞれ、略板状をなす第１整形部７４が一体に形成されている。第１整形部７４はカード支持部７３から幅方向に突出している。
【００２６】
背板部３の第２端部３２には、略矩形の板状をなす第２脚部５の一端が一体に形成されている。第２脚部５の他端には、略板状をなす脚支持部６が一体に形成されている。脚支持部６は、第２脚部５と略同形の支持基部６０、支持基部６０の略中央部から突出する略台形状の橋架け部６１、および、橋架け部６１の先端に一体に形成されている係合凸部６２を持つ。係合凸部６２は突起状をなし、橋架け部６１の端面よりも更に延び方向の先側に突出している。係合凸部６２のなかで橋架け部６１側の位置には、開口状の抜け止め凹部６３が形成されている。支持基部６０および橋架け部６１は本発明のカードホルダ１における基部に相当する。係合凸部６２は、橋架け部６１の幅方向の略中央部に形成されている。橋架け部６１のなかで係合凸部６２の幅方向の両脇には、平坦面が形成されている。実施例１のカードホルダ１において、この平坦面は係止部６４を構成している。支持基部６０のなかで、橋架け部６１の幅方向の両脇には、それぞれ、略短冊状の第２整形部７５が一体に形成されている。橋架け部６１および第２整形部７５は、図１に示す展開体２の状態で、同方向に突出している。
【００２７】
図２および図３に示すように、実施例１のカードホルダ１における第２脚部５は、背板部３に対して谷折りされている。脚支持部６は第２脚部５に対して谷折りされている。したがって、第２脚部５および脚支持部６は巻き折り状に折り返されている。なお、図示しないが、脚支持部６の表示面６５（展開体２から折り返した状態で表面に露出する面）には、図略の意匠（企業名、標章、住所、電話番号等）が印刷されている。第２整形部７５は、脚支持部６に対して谷折りされている。
【００２８】
第１接続部７０は、背板部３に対して谷折りされている。枠部７１は第１接続部７０に対して谷折りされている。第２接続部７２は枠部７１に対して谷折りされている。カード支持部７３は第２接続部７２に対して谷折りされている。したがって、背板部３、第１接続部７０、枠部７１、第２接続部７２、およびカード支持部７３は巻き折り状に折り返されている。第１整形部７４は、カード支持部７３に対して山折りされ、背板部３の整形固定部３４に挿入されている。このため、背板部３、第１接続部７０、枠部７１、第２接続部７２、およびカード支持部７３は巻き折り状に折り返された状態で、固定されている。また、第２整形部７５は、折り返された状態で、背板部３とカード支持部７３との間に介在している。枠部７１とカード支持部７３とは前後方向に離間している。このため、枠部７１とカード支持部７３との間にカレンダー等のカード類を保持できる。なお、枠部７１には開口状の窓部７９が設けられているため、カードはこの窓部７９内に配置され、窓部７９を通して前側に露出している。
【００２９】
図２および図３に示すように、カードホルダ１の起立時には、第２脚部５および脚支持部６は背板部３に対して略直交する方向に折り返されている。第２脚部５および支持基部６０は背板部３の前側に配置される。橋架け部６１および係合凸部６２は、背板部３の後側に配置される。第１脚部４は背板部３の後側に揺動し、第１脚部４の係合凹部４２には、前側から後側に向けて、係合凸部６２が挿入される。脚支持部６の係止部６４は、係合凹部４２の幅方向の周縁部に係止する。このため、第１脚部４の前側への揺動は阻害され、第１脚部４の少なくとも第１脚端部４１は背板部３の後側に配置される。したがって、第１脚部４の第１脚端部４１と第２脚部５とによって背板部３、カード支持部７３および枠部７１が支持され、カードホルダ１が起立する。なお、このとき係合凸部６２の抜け止め凹部６３には、抜け止め凸部４３が挿入される。このため、係合凸部６２は係合凹部４２から抜け難く、カードホルダ１は安定に起立する。
【００３０】
起立しているカードホルダ１を後側に倒すか、または、第２脚部５を背板部３と略平行になるように伸ばすと、第２脚部５および支持基部６０が背板部３と略平行になる方向に揺動する。すると、支持基部６０に連続する橋架け部６１および係合凸部６２が、第１脚部４の第１脚端部４１側から第１脚基部４０側に向けて係合凹部４２内をスライドする。すると、係合凹部４２の幅方向の周縁部と係止部６４との係止が解除され、第１脚部４は揺動して背板部３と略平行に配置される。脚支持部６もまた揺動して背板部３と略平行に配置される。すると、第１脚部４および脚支持部６が背板部３の後側に張り出さなくなるため、カードホルダ１は背板部３を下側に向け枠部７１を上側に向けて仰臥可能になる（図４）。このときカード類には、枠部７１の窓部７９を通じて文字等を記入可能である。したがって実施例１のカードホルダ１は、起立可能であり、且つ、カードホルダ１に保持したままのカード類にユーザーが文字等を容易に記入できる。
【００３１】
なお、実施例１のカードホルダ１は、図４に示す仰臥時において、第２脚部５を背板部３に対して面一に伸ばし、かつ、脚支持部６を折り返したままの状態となる。このとき係止部６４は、係合凹部４２の第１脚基部４０側の端面４９よりも第１脚端部４１側に配置されている。このため、仰臥時において係合凹部４２の周縁部と係止部６４とは干渉しない。このため、第１脚部４および脚支持部６は、仰臥時において背板部３よりも後側に張り出さず、机等に干渉しない。
【００３２】
仰臥しているカードホルダ１を再度起立させる場合には、第２脚部５を机等に押しつけつつ、背板部３、カード支持部７３および枠部７１を第２脚部５に対して揺動させれば良い。換言すると、一旦伸ばした背板部３と第２脚部５との境界部分を再度曲げれば良い。すると、係合凸部６２が係合凹部４２内を第１脚基部４０側から第１脚端部４１側に向けてスライドし、係止部６４が係合凹部４２の幅方向の周縁部と係止する。抜け止め凸部４３は抜け止め凹部６３に挿入される。このため脚支持部６は第１脚部４および第２脚部５を固定する。そして、第１脚部４および第２脚部５によって背板部３、カード支持部７３および枠部７１を安定して支持し、カードホルダ１を起立させる。このように、実施例１のカードホルダ１を、起立状態と仰臥状態との間で状態変化させる操作は非常に容易である。このためユーザーはカードホルダ１を容易に起立させ、かつ容易に仰臥させ得る。
【００３３】
また、図２に示すように、実施例１のカードホルダ１においては、背板部３の前側にカード支持部７３が配置されている。カード類はカード支持部７３の前側に保持される。カード支持部７３は、開口のない平板状をなし、カード支持部７３の前面は平坦面である。このためカード支持部７３はカード類を安定して支持できる。また、カード類はカード支持部７３と枠部７１との幅方向の隙間から出し入れ可能である。カード支持部７３の前面は、平坦面であるため、カード類の出し入れに干渉しない。よって、実施例１のカードホルダ１はカード類を容易に出し入れできる。
【００３４】
さらに、実施例１のカードホルダ１は、展開体２が折り返されてなり、固着されていないために、折り返した後にも展開体２の状態に展開可能である。このため実施例１のカードホルダ１は、容易に製造できるとともに、使用しないときには必要に応じて展開できるため嵩張らない。
【００３５】
さらに、実施例１のカードホルダ１は、脚支持部６に意匠を表示することができる。このため、ノベルティ用のカードホルダ１として用いる場合にも、カレンダー等のカード類に意匠を表示する必要がなくなり、カード類に記入用のスペースを大きく確保できる利点がある。
【００３６】
図３に示すように、実施例１のカードホルダ１における第１脚部４と脚支持部６とは、起立時において、略直交している。このため、脚支持部６は起立時において第１脚部４を安定して支持できる。また、起立しているカードホルダ１を仰臥させる際にも、第２脚部５、脚支持部６および第１脚部４を容易に揺動させることができる。起立時に脚支持部６が第１脚部４を安定して支持し、かつ、起立しているカードホルダ１を容易に仰臥させるためには、起立時における第１脚部４と脚支持部６との交差角度は９０°に近い方が好ましく、８０°〜１００°の間であるのがより好ましい。カードホルダ１を容易に仰臥させることを優先すると、起立時における第１脚部４と脚支持部６との交差角度は鋭角であるのが好ましく、８０°〜９０°の間であるのがより好ましい。
【００３７】
実施例１のカードホルダ１における第１脚部４は、弾性変形して揺動する。したがって第１脚部４は、自身の弾性によって、背板部３と平行になる方向に付勢されている。このため、係合凹部４２の周縁部と係止部６４とが強固に係止し、第１脚部４は起立時において背板部３等を安定して支持できる角度に安定して保持される。
【００３８】
実施例１のカードホルダ１は第２整形部７５を持つ。第２整形部７５は、背板部３とカード支持部７３との間に挟み込まれ、第２脚部５の幅方向の両端部を折り返された状態に維持する。このため実施例１のカードホルダ１における第２脚部５は、起立時に背板部３、カード支持部７３および枠部７１を安定して支持する。よって実施例１のカードホルダ１は起立した状態で安定してカードを保持できる。
【００３９】
なお、本発明のカードホルダ１において、第１接続部７０、枠部７１、第２接続部７２、カード支持部７３、第１整形部７４および第２整形部７５は必須ではない。例えば背板部３に直接カード類を保持しても良い。
【００４０】
（実施例２）
実施例２のカードホルダを模式的に表す展開図を図５に示す。仰臥時における実施例２のカードホルダを模式的に表す正面図を図６に示す。以下、本明細書において、前とは図６の紙面手前側を指し、後とは図６の紙面奥側を指す。幅方向とは図５に示す展開図における幅方向を指す。
【００４１】
実施例２のカードホルダ１は、厚さ０．５ｍｍのポリプロピレン製であり、図５に示す一枚板状の展開体２が折り返されてなる。展開体２における各部分の厚さは略均一である。実施例２のカードホルダ１は、背板部３と、第１脚部４と、第２脚部５と、脚支持部６とを持つ。
【００４２】
背板部３は、整形固定部３４を持たないこと以外は実施例１のカードホルダ１における背板部３とほぼ同じである。第１脚部４は抜け止め凸部４３を持たないこと以外は実施例１のカードホルダ１における第１脚部４とほぼ同じである。背板部３の第２端部３２には第２脚部５が一体に形成され、第２脚部５には脚支持部６が一体に形成されている。脚支持部６は、抜け止め凹部６３を持たず、橋架け部６１と係合凸部６２とが滑らかに連続し、係止部６４が面でなく点であること以外は実施例１のカードホルダ１における脚支持部６とほぼ同じである。
【００４３】
実施例２のカードホルダにおいては、第２脚部５は背板部３に対して谷折りされ、脚支持部６は第２脚部５に対して山折りされている。したがって、第２脚部５および脚支持部６は蛇腹折り状に折り返されている。なお、図示しないが、第２脚部５の表示面５５（展開体２から折り返した状態で表面に露出する面）には、図略の意匠が印刷されている。第１脚部４は、背板部３の第１周縁部３３と第１脚基部４０との境界部分で折り曲げられている。
【００４４】
実施例２のカードホルダ１は、図略の付箋を保持するためのカードホルダ１である。付箋は背板部３に直接貼り付けられる。起立時において、脚支持部６の係合凸部６２は第１脚部４の係合凹部４２に挿入され、脚支持部６の幅方向の端面のなかで橋架け部６１と係合凸部６２との境界部分である係止部６４が、係合凹部４２の幅方向の端面に点接触して係止する。
【００４５】
実施例２のカードホルダ１は、実施例１のカードホルダ１に比べて簡単な構造であるが、実施例１のカードホルダ１と同様に、脚支持部６により固定された第１脚部４および第２脚部５によって背板部３が安定に支持され、起立する。起立しているカードホルダ１を仰臥させる際には、実施例１のカードホルダ１と同様に、カードホルダ１を後に倒すか、第２脚部５に背板部３と略平行になる方向の力を加える。すると、係止部６４と第１脚部４との係止が解除され、係合凸部６２が係合凹部４２内をスライドし、第１脚部４および脚支持部６が揺動して背板部３と略平行に配置される。このため、実施例２のカードホルダもまた、第１脚部４および脚支持部６の干渉を抑制しつつ、カードホルダ１を机等に仰臥させることができ、ユーザーはカードホルダ１に保持されているカードに文字等を容易に書き込むことができる。
【００４６】
図６に示すように、仰臥時つまり第２脚部５を背板部３に対して面一に伸ばしかつ脚支持部６を折り返したままの状態で、係止部６４は係合凹部４２の第１脚基部４０側の端面４９よりも第１脚端部４１側に配置されている。このため、係合凹部４２の周縁部と係止部６４との干渉を回避しつつ、起立しているカードホルダ１を容易に仰臥させることができる。なお、このとき実施例２のカードホルダ１における係合凸部６２は端面４９よりも第１脚基部４０側に配置されている。このため、係合凸部６２の一部は仰臥時にも係合凹部４２に挿入されたままである。換言すると、実施例２のカードホルダ１における係合凸部６２は係合凹部４２から抜け難い。このため実施例２のカードホルダ１は、起立状態と仰臥状態との間を安定して状態変化する。
【産業上の利用可能性】
【００４７】
本発明のカードホルダは、卓上型のカレンダーのホルダ部分や、メモパッド、ノートパッド、付箋パッド等各種パッド用台紙として特に好ましく使用できる。
【符号の説明】
【００４８】
１：カードホルダ          ２：展開体              ３：背板部
４：第１脚部              ５：第２脚部            ６：脚支持部
３０：開口                ３１：第１端部          ３２：第２端部
４０：第１脚基部          ４１：第１脚端部        ４２：係合凹部
４３：抜け止め凸部        ６０：支持基部          ６１：橋架け部
６２：係合凸部            ６０、６１：基部        ６４：係止部
【図１】
2013031950.tif 000003
【図２】
2013031950.tif 000004
【図３】
2013031950.tif 000005
【図４】
2013031950.tif 000006
【図５】
2013031950.tif 000007
【図６】
2013031950.tif 000008